(57)【特許請求の範囲】
【請求項１】
エレベータの乗場又はかごに設けられ、前記乗場又は前記かごにいる利用者が行先階を登録するタッチパネル方式の行先階登録装置において、
前記利用者が行先階を登録するために操作する複数の行先釦と、
この行先釦の操作面からその表示内容が目視可能となるように前記行先釦毎にそれぞれ配置され、前記表示内容が変更可能である階床案内表示手段と
を備え、
前記利用者の登録操作によって行先階が登録されると、対応の前記行先釦の外形を連続的に変形又は移動させることにより、行先階が有効に登録されたことを表示することを特徴とするエレベータの行先階登録装置。
【請求項２】
エレベータの乗場又はかごに設けられ、前記乗場又は前記かごにいる利用者が行先階を登録するタッチパネル方式の行先階登録装置において、
前記利用者が行先階を登録するために操作する複数の行先釦と、
この行先釦の操作面からその表示内容が目視可能となるように前記行先釦毎にそれぞれ配置され、前記表示内容が変更可能である階床案内表示手段と、
前記利用者が行う操作に応じて任意の案内を表示する総合案内表示手段と
を備え、
前記利用者の登録操作によって行先階が登録されると、対応の前記行先釦の外形を連続的に変形又は移動させることにより、行先階が有効に登録されたことを表示することを特徴とするエレベータの行先階登録装置。
【請求項３】
階床案内表示手段は、行先階が登録された際に、登録された前記行先階に対応する行先釦の操作面内に前記行先階が登録された旨の案内を表示することを特徴とする請求項１又は請求項２に記載のエレベータの行先階登録装置。
【請求項４】
階床案内表示手段は、エレベータの運行が停止されている階床の行先階が登録された際に、登録された前記行先階に対応する行先釦の操作面内に、エレベータの運行が停止されている旨の案内を表示することを特徴とする請求項１又は請求項２に記載のエレベータの行先階登録装置。
【請求項５】
階床案内表示手段は、登録された行先階が取り消された際に、登録が取り消された前記行先階に対応する行先釦の操作面内に、前記行先階の登録が取り消された旨の案内を表示することを特徴とする請求項１又は請求項２に記載のエレベータの行先階登録装置
【請求項６】
利用者の登録操作によって行先階が登録されると、対応の行先釦の外形と、対応の階床案内表示手段による表示内容とを共に連動させて連続的に変形又は移動させることにより、行先階が有効に登録されたことを表示することを特徴とする請求項１から請求項５の何れかに記載のエレベータの行先階登録装置。
【発明の詳細な説明】
【技術分野】
【０００１】
この発明は、エレベータの乗場やかごに設置され、この乗場やかごにいるエレベータの利用者が希望の行先階を登録する行先階登録装置に関するものである。
【背景技術】
【０００２】
エレベータの乗場やかごに設けられ、エレベータの利用者が希望の行先階を登録する際に使用する従来の行先階登録装置には、利用者が指で接触することによって操作可能なタッチパネルを備えるとともに、タッチパネルのディスプレイ上に行先階を登録する行先釦と専用のインフォメーション表示とを備え、行先釦によって登録された行先階に応じて専用のインフォメーション表示の内容を随時切り替えることにより、木目細やかな案内表示を可能にしたものがある（例えば、特許文献１参照）。【０００３】
【特許文献１】日本特開平６−１９１７５３号公報
【発明の開示】
【発明が解決しようとする課題】
【０００４】
特許文献１記載のエレベータの行先階登録装置は、タッチパネルのディスプレイ上に備えられた専用のインフォメーション表示に、通常は時刻や天気予報等の一般案内を表示し、利用者による行先階の登録があった場合に、登録された行先階に応じてその表示を適切に切り替えるものである。しかし、かかる行先階登録装置は、複数の行先釦に対して１つのインフォメーション表示しか備えられていないため、利用者によって行先階が登録された後でなければ、各階床のテナント等の詳細な階床情報等を詳細に表示することができなかった。また、タッチパネルのディスプレイ上の行先釦は、行先階が登録されたことを表示色を変更することによって表しているが、行先階登録装置を操作している利用者が色覚障害を有する場合には、この利用者は、行先階が有効に登録されたか否かの判断をすることが困難であった。【０００５】
この発明は、かかる問題を解決するためになされたものであり、その目的は、階床毎の情報を随時適切に案内することにより、より良いサービスを提供することができるエレベータの行先階登録装置を得ることである。【０００６】
さらに、案内表示を確実に伝えることができるエレベータの行先階登録装置を提供することである。
【課題を解決するための手段】
【０００７】
この発明に係るエレベータの行先階登録装置は、エレベータの乗場又はかごに設けられ、乗場又はかごにいる利用者が行先階を登録するタッチパネル方式の行先階登録装置において、利用者が行先階を登録するために操作する複数の行先釦と、この行先釦の操作面からその表示内容が目視可能となるように行先釦毎にそれぞれ配置され、表示内容が変更可能である階床案内表示手段とを備え、利用者の登録操作によって行先階が登録されると、対応の行先釦の外形を連続的に変形又は移動させることにより、行先階が有効に登録されたことを表示するものである。
また、この発明に係るエレベータの行先階登録装置は、エレベータの乗場又はかごに設けられ、乗場又はかごにいる利用者が行先階を登録するタッチパネル方式の行先階登録装置において、利用者が行先階を登録するために操作する複数の行先釦と、この行先釦の操作面からその表示内容が目視可能となるように行先釦毎にそれぞれ配置され、表示内容が変更可能である階床案内表示手段と、利用者が行う操作に応じて任意の案内を表示する総合案内表示手段とを備え、利用者の登録操作によって行先階が登録されると、対応の行先釦の外形を連続的に変形又は移動させることにより、行先階が有効に登録されたことを表示するものである。
【発明の効果】
【０００８】
この発明に係るエレベータの行先階登録装置によれば、階床毎の情報を随時適切に案内し、より良いサービスを提供することができる。また、色覚障害を有する利用者に対しても、確実に案内することができるようになる。
【図面の簡単な説明】
【０００９】
【図１】図１は、この発明の実施例１におけるエレベータの行先階登録装置の全体構成を示すブロック図である。
【００１０】
【図２】図２は、この発明の実施例１におけるエレベータの行先階登録装置の動作を示すフローチャートである。
【００１１】
【図３】図３は、この発明の実施例１におけるエレベータの行先階登録装置の要部詳細図である。
【００１２】
【図４】図４は、この発明の実施例２におけるエレベータの行先階登録装置の動作を示す図である。
【００１３】
【図５】図５は、この発明の実施例３におけるエレベータの行先階登録装置の要部詳細図である。
【００１４】
【図６】図６は、この発明の実施例４におけるエレベータの行先階登録装置の動作を示す図である。
【００１５】
【図７】図７は、この発明の実施例５におけるエレベータの行先階登録装置の要部詳細図である。
【００１６】
【図８】図８は、この発明の実施例６におけるエレベータの行先階登録装置の要部詳細図である。
【符号の説明】
【００１７】
１  行先階登録装置
１ａ  表示部
１ｂ  表示制御部
１ｃ  表示情報格納部
１ｄ  センサ
１ｅ  センサ制御部
１ｆ  通信部
１ｇ  メモリ
１ｈ  マイコン
１ｋ、１ｐ、１ｒ  行先釦
１ｍ  総合案内表示手段
１ｎ  階床案内表示手段
２  エレベータ制御装置
【発明を実施するための最良の形態】
【００１８】
この発明をより詳細に説明するため、添付の図面に従ってこれを説明する。なお、各図中、同一又は相当する部分には同一の符号を付しており、その重複説明は適宜に簡略化ないし省略する。
【実施例１】
【００１９】
図１は、この発明の実施例１におけるエレベータの行先階登録装置の全体構成を示すブロック図である。図において、エレベータの利用者が自分の希望する行先階を登録する行先階登録装置１は、建築物の各階に設けられた乗場や昇降路を昇降するかごにそれぞれ設置されている。各行先階登録装置１はエレベータ装置全体を制御するエレベータ制御装置２と通信路を介して接続されており、このエレベータ制御装置２は、各行先階登録装置１から入力される行先階情報に基づいてかごの昇降を制御するとともに、必要に応じて各行先階登録装置１に対して登録された行先階情報を送信する。なお、この行先階登録装置１は、各乗場及びかごに少なくとも１つずつ設置されるものであるが、１つの乗場に複数の乗場出入口が設けられている場合や、かごに車椅子用の行先階登録装置１が設置されている場合等には、２つ以上の行先階登録装置１が１つの乗場又はかご内に設置され得る。乗場やかごに設置されたこの行先階登録装置１は、エレベータの利用者が希望の行先階を登録する際に操作する複数の行先釦、及び、利用者が行先階を登録する際に指で触れる各行先釦の操作面からその表示内容が目視可能となるように行先釦毎にそれぞれ配置され、行先階や行先階の階床情報等を示す色や文字や図形等を変更可能に表示する階床案内表示手段を有した表示部１ａと、この表示部１ａの階床案内表示手段に表示される色や文字や図形等の表示内容、及び、表示部１ａの行先釦の形状等を制御する表示制御部１ｂと、表示部１ａの階床案内表示手段に表示される色や文字や図形等の表示情報が格納された表示情報格納部１ｃと、エレベータの利用者が希望の行先階を登録するために表示部１ａの行先釦を操作したことを検出するセンサ１ｄと、このセンサ１ｄを制御するセンサ制御部１ｅと、通信路によって接続されたエレベータ制御装置２間の信号の入出力を制御する通信部１ｆと、作業用メモリ及び所定のプログラムが格納されたプログラム格納用メモリを備えたメモリ１ｇと、プログラム格納用メモリに格納されたプログラムを、作業用メモリを使用しながら実行するマイコン１ｈとが備えられている。【００２０】
なお、上記表示部１ａの階床案内表示手段は、エレベータの利用者が行先釦の操作面からその表示内容を見ることができる機能を有している、即ち、行先釦の操作面内に文字や図形等で構成される案内を表示することができれば良く、その表示方式は、例えば、液晶方式やプラズマ方式、ＬＥＤ方式、ブラウン管方式等のいかなる方式のものでも構わない。また、上記センサ１ｄは、エレベータの利用者が表示部１ａの行先釦を操作したか否かを正確に検出することができればその構成はいかなるものでも良く、例えば、表示部１ａの階床案内表示手段と一体的に構成されたタッチパネル方式のものや、行先釦が所定の力で所定の距離押し込まれた際に可動接点が接触する機械方式のもの等でも構わない。さらに、上記メモリ１ｇ内の作業用メモリとプログラム格納用メモリと上記表示情報格納部１ｃとは、ハードディスクドライブや不揮発性メモリ、随時書込み保持動作の必要なメモリ等、いかなる記憶装置や記憶素子で構成されていても良く、これらのメモリの一部が同じ記憶装置や記憶素子として構成されていても構わない。また、メモリ１ｇと表示情報格納部１ｃと表示制御部１ｂと通信部１ｆとは、その一部若しくは全部がマイコン１ｈに内蔵されていても、その機能を有するものであればその構成は問題となるものではない。【００２１】
次に、この発明にかかるエレベータの行先階登録装置１の動作について、図２に示すフローチャートに基づいて説明する。行先階登録装置１の動作が開始されると、表示部１ａの階床案内表示手段には、各階床のテナント等の案内や背景画面等の必要な初期画面が表示される。なお、この初期画面の画面情報は予め表示情報格納部１ｃに格納されている情報であり、行先階登録装置１の動作開始情報がマイコン１ｈに入力されると、マイコン１ｈは、入力されたこの動作開始情報に基づいて表示情報格納部１ｃから初期画面の画面情報を取り出し、表示制御部１ｂを介してこの画面情報を表示部１ａの各階床案内表示手段に表示する。ここで、他の行先階登録装置１において利用者によって行先階が登録され、この行先階情報がエレベータ制御装置２に入力されると、エレベータ制御装置２は、各行先階制御装置１の通信部１ｆに対してこの行先階情報を出力する。他の行先階登録装置１からの行先階情報が通信部１ｆに入力されると、行先階登録装置１のマイコン１ｈは、表示情報格納部１ｃから通信部１ｆに入力された行先階情報に対応する表示情報を取り出し、この表示情報を表示制御部１ｂに対して出力する。一方、エレベータの利用者がこの行先階登録装置１によって行先階を登録した場合、即ち、センサ１ｄによって表示部１ａの行先釦が操作されたことが検出された場合には、センサ制御部１ｅは、センサ１ｄによって検出された操作座標等の操作情報をマイコン１ｈに対して出力する。また、エレベータの利用者が当該行先階登録装置１による行先階の登録操作を終了した場合、即ち、センサ１ｄによって表示部１ａの行先釦の操作が検出されなくなった場合には、センサ制御部１ｅは、上記操作情報とともに操作が終了したという操作終了情報をマイコン１ｈに対して出力する。センサ制御部１ｅからマイコン１ｈに操作情報が入力されると、マイコン１ｈは、操作座標に基づいて利用者が登録した行先釦の内容を判定する。さらに、マイコン１ｈは、操作座標に基づいて、表示部１ａの階床案内表示手段に現在表示されている表示内容と登録された行先釦の内容とを比較し、表示部１ａの階床案内表示手段の表示内容を更新するか否かの判定を行う。ここで階床案内表示手段の表示内容の更新が必要と判定した場合、マイコン１ｈは、入力された操作情報に基づいて表示情報格納部１ｃから対応する表示情報を取り出し、表示制御部１ｂに対して出力する。なお、マイコン１ｈは、上記動作と並行して、入力された行先階情報を通信部１ｆを介してエレベータ制御装置２に対して出力する。マイコン１ｈから表示情報が表示制御部１ｂに入力されると、表示制御部１ｂは、この表示情報に基づいて表示部１ａの階床案内表示手段にその内容を表示する。なお、図２においては通信部１ｆにエレベータ制御装置２から行先階情報が入力された場合とセンサ１ｄによって行先釦の入力操作が検出された場合とが一連の動作として示されているが、これらの動作は並列非同期に実行されても特に問題となるものではない。【００２２】
次に、行先階登録装置１の表示部１ａについて説明する。図３はこの発明の実施例１におけるエレベータの行先階登録装置１の要部詳細図であり、表示部１ａの構成を示したものである。図において、エレベータの利用者に対向するように配置される表示部１ａは、エレベータの利用者が希望の行先階を登録する際に操作する複数の行先釦１ｋと、行先釦１ｋの上方に配置され、エレベータの利用者が行う操作に応じて任意の案内を表示する総合案内表示手段１ｍと、利用者が行先階を登録する際に指で触れる各行先釦１ｋの操作面からその表示内容が目視可能となるように行先釦１ｋ毎にそれぞれ配置され、行先階や行先階の階床情報等を示す色や文字や図形等を変更可能に表示する階床案内表示手段１ｎとが備えられている。なお、図３では、階床案内表示手段１ｎとしてＢ１や１等の各階床と、食品・贈答品等の各階床で扱っているサービス内容とが表示されているが、必要に応じて各階床にあるテナントやオフィス等を表示しても良い。また、一定期間の催し物やタイムサービス情報等を、その期間又は時間に合わせて表示しても良い。なお、総合案内表示手段１ｍは、利用者によって行先釦１ｋが操作されていない場合に、建物内の情報や一般情報等を表示したり、利用者によって行先釦１ｋが操作された場合には、利用者の操作によって選択された階床のテナントやオフィス等の情報を表示したりするものであるが、表示の必要のない場合には何も表示しなくても構わない。【００２３】
この発明の実施例１によれば、各階床の階床情報等を表示する階床案内表示手段１ｎは、各行先釦１ｋに１つずつ配置され、行先階登録装置１の操作状況や各階床情報等に応じて各階床案内表示手段１ｎの表示内容を随時適切に変更することが可能であるため、エレベータの利用客に対してより良いサービスを提供することが可能である。また、階床案内表示手段１ｎは、行先釦１ｋの操作面からその表示内容が目視可能となるように配置されているため、利用客が自分の希望する行先階と異なる行先階を登録してしまうことはなく、操作性に優れる。
【実施例２】
【００２４】
図４は、この発明の実施例２におけるエレベータの行先階登録装置の動作を示す図であり、エレベータの利用者によって、任意の行先釦１ｋが選択された場合の行先釦１ｋ及び階床案内表示手段１ｎの状態を示したものである。階床案内表示手段１ｎに３階の紳士・子供服と表示されている行先釦１ｋがエレベータの利用者によって選択されると、センサ制御部１ｅは、センサ１ｄによって検出された操作座標等の操作情報をマイコン１ｈに対して出力する。マイコン１ｈは、入力された操作座標に基づいて利用者が登録した行先釦１ｋの階床案内表示手段１ｎの表示が３階の紳士・子供服であると判定し、現在の階床案内表示手段１ｎの表示を、行先階が有効に登録されたことを示す表示に更新する旨の判断を行う。階床案内表示手段１ｎの表示内容の更新が必要と判定されると、マイコン１ｈは、表示情報格納部１ｃから３階紳士・子供服が有効に登録された旨を示す表示情報を取り出し、表示制御部１ｂに対してこの表示情報を出力する。表示制御部１ｂは、入力された表示情報に基づいて、登録された行先階１ｋに対応する階床案内表示手段１ｎの表示内容を更新する。図４は、行先階１ｋの操作面内に表示された階床案内表示手段１ｎが更新される際の状態を、時系列的に上から下に示したものである。利用者によって行先階が登録されると、行先釦１ｋ及び階床案内表示手段１ｎは、横幅を一定に保ったまま縦幅のみが徐々に小さくなり、所定の縦幅になった後若しくは縦幅が０となった後、再びもとの縦幅となるまで徐々に大きくなる。このとき、縦幅が最小となった際に背景色が変更され、行先階が有効に登録されたことを行先釦１ｋ及び階床案内表示手段１ｎの色及び動きによって利用者に伝える。【００２５】
この発明の実施例２によれば、エレベータの利用者が行先階の登録操作を行うと、登録された行先階に対応する行先釦１ｋの外形、及び、この行先釦１ｋの操作面内に表示された階床案内表示手段１ｎの色や文字、図形等が連続的に変化することによって、行先階が有効に登録されたことを表示するため、この利用者は、自分の希望する行先階が有効に登録されたことを確実に認識することができる。また、行先釦１ｋの外形や階床案内表示手段１ｎの表示内容を連続的に変更することによって行先階が有効に登録されたことを表示するため、色覚障害のある利用者に対しても正確な情報を提供することが可能である。なお、その他は、実施例１と同様の構成及び効果を有している。また、実施例２では表示部１ａがタッチパネル方式のように行先釦１ｋ自体の外形を変更することが可能な場合について説明したが、行先釦１ｋが機械式のようにその外形を変更することができない場合は、行先釦１ｋの操作面から目視可能に配置された階床案内表示手段１ｎの表示内容を連続的に変化させることにより、上記と同様の効果を得ることができる。
【実施例３】
【００２６】
図５は、この発明の実施例３におけるエレベータの行先階登録装置の要部詳細図であり、表示部１ａの構成及びエレベータの利用者によって一定条件下の行先釦１ｐが選択された際の状態を示したものである。ある階床が店内改装等の理由によりエレベータの運行を停止している場合、例えば、４階の家電・書籍売り場へのエレベータの運行が停止している場合、その階床を表示する行先釦１ｐは、他の行先釦１ｋとは異なる背景色により表示されている。かかる構成を有することにより、エレベータの利用者は、どのようなテナント等が入っている階床が運行停止であるのかを容易に且つ確実に知ることが可能となる。なお、その他は、実施例１と同様の構成及び効果を有している。
【実施例４】
【００２７】
図６は、この発明の実施例４におけるエレベータの行先階登録装置の動作を示す図であり、エレベータの利用者によって、一定条件下の行先釦１ｐが選択された場合の行先釦１ｐ及び階床案内表示手段１ｎの状態を示したものである。利用者によってエレベータの運行が停止されている階床を示す行先釦１ｐが選択されると、センサ制御部１ｅは、センサ１ｄによって検出された操作座標等の操作情報をマイコン１ｈに対して出力する。マイコン１ｈは、入力された操作座標に基づいて利用者が登録した行先釦１ｐの階床案内表示手段１ｎの表示が４階の家電・書籍であり、所定の背景色で表示されていると判定し、エレベータの運行が停止されていることをさらに示す表示に更新する旨の判断を行う。階床案内表示手段１ｎの表示内容の更新が必要と判定されると、マイコン１ｈは、表示情報格納部１ｃから４階への運行が停止されている旨を示す表示情報を取り出し、表示制御部１ｂに対してこの表示情報を出力する。表示制御部１ｂは、入力された表示情報に基づいて、登録された行先階に対応する階床案内表示手段１ｎの表示内容を更新する。図６は、行先釦１ｐの操作面内に表示された階床案内表示手段１ｎが更新される際の状態を、時系列的に上から下に示したものである。利用者によって行先階が登録されると、行先釦１ｐ及び階床案内表示手段１ｎは、その外形寸法及び背景色を維持したまま一側へ徐々に移動し、所定位置に達したら他側へ徐々に移動する。この往復移動を複数回、例えば３回繰り返し、再び元の位置に戻る。このように、登録しようとした行先釦１ｐに表示されている階床への運行が停止されていることを、行先釦１ｐ及び階床案内表示手段１ｎの動きによって利用者に伝える。なお、上記往復移動をしている際に背景色をさらに変更して、運行が停止されていることを強調しても良い。【００２８】
この発明の実施例４によれば、利用者によってエレベータの運行が停止されている階床を示す行先釦１ｐが登録されると、登録された行先階に対応する行先釦１ｐの外形、及び、この行先釦１ｐの操作面内に表示されている階床案内表示手段１ｎの色や文字、図形等が連続的に変化することによって、エレベータの運行が停止されていることを表示するため、色覚障害のある利用者に対しても正確な情報を提供することができる。なお、その他は実施例３と同様の構成及び効果を有している。
【実施例５】
【００２９】
図７は、この発明の実施例５におけるエレベータの行先階登録装置の要部詳細図であり、エレベータの利用者によって、エレベータの運行が停止されている階床の行先釦１ｐが選択された場合の表示部１ａ及び階床案内表示手段１ｎの状態を示したものである。利用者によってエレベータの運行が停止されている階床を示す行先釦１ｐが選択されると、センサ制御部１ｅは、センサ１ｄによって検出された操作座標等の操作情報をマイコン１ｈに対して出力する。マイコン１ｈは、入力された操作情報に基づいて利用者が操作した行先釦１ｐの階床案内表示手段１ｎを、エレベータの運行が停止されていることを示す表示に更新する旨の判断を行う。マイコン１ｈは、所定の表示情報を表示情報格納部１ｃから取り出し、利用者によって登録された行先階に対応する行先釦１ｐの操作面内に、例えば、「ただいまご利用できません」との文字表示を行う。なお、図７では、総合案内表示手段１ｍにも同様の表示がなされているが、総合案内表示手段１ｍへの表示は必要に応じて行えば良い。また、エレベータの運行が停止されている旨の表示は、利用者が確認するのに十分と推定される一定時間、例えば、操作情報若しくは操作終了情報がマイコン１ｈに入力されてから５秒間のみ表示し、その後にもとの表示に戻すようにしたり、利用者によって他の行先釦１ｋが操作されるまで表示したりするようにしても良い。なお、その他は、実施例４と同様の構成及び効果を有しており、実施例４のように、上記文字表示と同時に行先釦１ｐ及び階床案内表示手段１ｎが連続的に動くように構成しても良い。
【実施例６】
【００３０】
図８は、この発明の実施例６におけるエレベータの行先階登録装置の要部詳細図であり、エレベータの利用者によって行先階が登録された後に、この利用者の操作又はエレベータ制御装置２の制御により、登録が取り消された場合の表示部１ａ及び階床案内表示手段１ｎの状態を示したものである。利用者によって行先階が登録された後に、この利用者の操作又はエレベータ制御装置２の制御により、マイコン１ｈに登録取消情報が入力されると、マイコン１ｈは、入力された登録取消情報に基づいて対象となる行先釦１ｒの階床案内表示手段１ｎを、登録が取り消されたことを示す表示に更新する旨の判断を行う。マイコン１ｈは、所定の表示情報を表示情報格納部１ｃから取り出し、登録が取り消された行先階に対応する行先釦１ｒの操作面内に、例えば、「登録が取り消されました」との文字表示を行う。なお、図８では、総合案内表示手段１ｍにも同様の表示がなされているが、総合案内表示手段１ｍへの表示は必要に応じて行えば良い。また、エレベータの運行が停止されている旨の表示は、利用者が確認するのに十分と推定される一定時間、例えば、操作情報若しくは操作終了情報がマイコン１ｈに入力されてから５秒間のみ表示し、その後にもとの表示に戻すようにしたり、利用者によって他の行先釦１ｋが操作されるまで表示したりするようにしても良い。なお、その他は、実施例４と同様の構成及び効果を有しており、実施例４のように、上記文字表示と同時に行先釦１ｒ及び階床案内表示手段１ｎが連続的に動くように構成しても良い。
【産業上の利用可能性】
【００３１】
以上のように、この発明のエレベータの行先階登録装置によれば、行先釦毎に階床案内表示手段がそれぞれ配置され、この階床案内表示手段の表示内容を各行先釦の操作面から確認することができるため、エレベータの利用客は、各階床の情報を随時適切に知ることができ、より良いサービスを提供することができる。【００３２】
また、階床案内表示手段の表示内容を、色又は文字又は図形の連続変化によって表示することにより、色覚障害を有する利用者に対しても確実に案内することが可能となる。
【図１】
0004708350.tif 000002
【図２】
0004708350.tif 000003
【図３】
0004708350.tif 000004
【図４】
0004708350.tif 000005
【図５】
0004708350.tif 000006
【図６】
0004708350.tif 000007
【図７】
0004708350.tif 000008
【図８】
0004708350.tif 000009